(57)【要約】【課題】枠体の遊技球流路に設けられる流下状態変更部の不具合などに対し、迅速な対応が可能な遊技機を提供する。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１は、前ベース枠、後ベース枠及びステージ部材等を備える。上部の開口部から流入した遊技球が遊技球流路を経てステージ部材に案内されるのであるが、遊技球流路内部には流下状態変更部が設けられる。かかる流下状態変更部は、後ベース枠に取り外し可能に取着された、遊技球流路の内壁をなすパネルに設けられている。【選択図】　　　　　図１
2004065279.tif 000002
【特許請求の範囲】
【請求項１】
遊技盤に、入口部から流入した遊技球を遊技領域の所定部分へと案内可能となっている遊技球流路を備えた遊技機であって、
前記遊技球流路に、前記遊技球の流下状態を変更する流下状態変更部を有しており、
前記流下状態変更部は、着脱可能に構成されていることを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技盤面上における遊技球の挙動に起因して種々の遊技状態が導出されるパチンコ機が知られている。このようなパチンコ機で遊技を行う遊技者は、所定の遊技状態の導出を期待し、遊技盤面上の遊技球の挙動に期待感を持って注目する。
【０００３】
近年、可変表示装置を囲むセンターフレームの下部などに、遊技球が転動可能なステージを設けたパチンコ機が見受けられる。このようなセンターフレームには、その上部からステージへ遊技球を導くための遊技球流路（ワープ通路）が設けられることがある。このようなパチンコ機にあって、遊技球流路からステージへ放出される遊技球の球勢が大きすぎたりすることによる不具合を防止する必要がある。
【０００４】
例えば、遊技球流路を流下する遊技球の速度を抑えるべく、遊技球流路内部に遊技球の流下状態を変更することが考えられるが、このような流下状態変更部に繰り返し遊技球が当たることによる不具合も懸念される。
【０００５】
本発明は、遊技球流路に配置される流下状態変更部の不具合等に対処することのできる遊技機を提供することを目的とする。
【０００６】
【課題を解決するための手段及び発明の効果】
上記の目的を達成するために有効な手段を以下に示す。なお、必要に応じてその作用等についても説明する。
【０００７】
手段１．遊技盤に、入口部から流入した遊技球を遊技領域の所定部分へと案内可能となっている遊技球流路を備えた遊技機であって、
前記遊技球流路に、前記遊技球の流下状態を変更する流下状態変更部を有しており、
前記流下状態変更部は、着脱可能に構成されていることを特徴とする遊技機。
【０００８】
手段１によれば、流下状態変更部が着脱可能に構成されているため、流下状態変更部に関し、例えば破損などの不具合が起きた場合であっても、流下状態変更部を簡単に取り替えることができる。
【０００９】
また、このような構成とすれば、上記破損の場合のみならず、例えば流下状態変更部が汚れてしまった場合にも、流下状態変更部を取り替えることが可能となる。その結果、流下状態変更部の汚れによって遊技球がつまったりする可能性を低くすることができ、遊技の興趣を損なうことを防止できる。
【００１０】
さらに、取替前後の流下状態変更部の形状、サイズ等が相違させることで、遊技球の流路を適宜異ならせることができ、流下態様にバリエーションを付与することもできる。この場合、前記遊技球流路を外部から視認可能な構成とすることとしてもよい。かかる構成とすることで、興趣の向上を図ることもできる。併せて、取替前後で、球勢を異ならせるよう構成することで、所定部分への案内のされ方も相違することとなり、結果として、さらに下方に設けられた入賞口等への入賞率をも異ならせることもできる。
【００１１】
手段２．遊技盤の遊技領域に設けられる枠体を備え、該枠体は、前記遊技盤に取着されるベース枠と、該ベース枠の下部に取付けられ、自身の上面を遊技球が転動可能となっているステージ部と、前記ベース枠の側部に設けられ、入口部から流入した遊技球を前記ステージ部へと案内可能になっている遊技球流路とを具備してなる遊技機であって、
前記遊技球流路内部に、前記遊技球の流下状態を変更する流下状態変更部を有しており、
前記流下状態変更部は、前記ベース枠に取り外し可能に取着されることにより、前記遊技球流路に対して着脱可能に構成されていることを特徴とする遊技機。
【００１２】
手段２では、枠体を備えており、この枠体が、遊技板に取着されるベース枠、遊技球の転動を許容するステージ部、及び、ベース枠の側部に設けられて入口部から流入した遊技球をステージ部へ導く遊技球流路を具備してなる。
【００１３】
ここで特に、流下状態変更部がベース枠に取り外し可能に取着されることにより、流下状態変更部が遊技球流路に対して着脱可能に構成されているため、流下状態変更部に例えば破損などの不具合が起きた場合であっても、流下状態変更部を簡単に取り替えることができる。
【００１４】
また、このような構成とすれば、破損の場合のみならず、例えば流下状態変更部が汚れてしまった場合にも、流下状態変更部を取り替えることが可能となる。その結果、流下状態変更部の汚れによって遊技球がつまったりする可能性を低くすることができ、遊技の興趣を損なうことを防止できる。
【００１５】
さらに、取替前後の流下状態変更部の形状、サイズ等が相違させることで、遊技球の流路を適宜異ならせることができ、流下態様にバリエーションを付与することもできる。この場合、前記遊技球流路を外部から視認可能な構成とすることとしてもよい。かかる構成とすることで、興趣の向上を図ることもできる。併せて、取替前後で、球勢を異ならせるよう構成することで、所定部分への案内のされ方も相違することとなり、結果として、さらに下方に設けられた入賞口等への入賞率をも異ならせることもできる。
【００１６】
なお、「前記入口部は、前記枠体の上部又は側部に設けられていること」としてもよい。
【００１７】
手段３．手段２において、前記遊技球流路は、前記ベース枠に取り付けられる板状部材で囲まれた空間として形成されており、
前記流下状態変更部は、前記板状部材に設けられ、当該板状部材と共に前記ベース枠から取り外し可能となっていることを特徴とする遊技機。
【００１８】
上述した遊技球流路は、例えばベース枠の側辺部に設けられるのであるが、この場合、ベース枠の正面側及び背面側に取り付けられる板状部材で囲まれた空間として形成されることが考えられる。
【００１９】
手段３によれば、流下状態変更部が板状部材に設けられ、当該板状部材と共にベース枠から取り外し可能となっているため、流下状態変更部を簡単に取り替えることができる。
【００２０】
なお、ここでいう板状部材は、一例として、ベース枠の正面側に取り付けられるレンズカバー、背面側に取り付けられるパネルなどとして具現化される。
【００２１】
手段４．手段３において、前記流下状態変更部は、前記板状部材の内壁面に突出する突出部として構成されていることを特徴とする遊技機。
【００２２】
具体的には手段４に示すように、流下状態変更部を、板状部材の内壁面から突出する突出部として構成することが考えられる。手段４によれば、板状部材の取り替えによって、流下状態変更部を簡単に取り替えることができる。
【００２３】
手段５．手段３において、前記板状部材は、複層構造となっており、
前記流下状態変更部は、前記遊技球流路の内壁となる板状部材から突出する突出部として構成されていることを特徴とする遊技機。
【００２４】
また、上述した板状部材は、透光パネルとしての機能を実現させるために複層構造となっていることが考えられる。このときは、手段５に示すように、流下状態変更部を、遊技球流路の内壁となる板状部材から突出する突出部として構成することが考えられる。手段５によれば、板状部材の取り替えによって、流下状態変更部を簡単に取り替えることができる。
【００２５】
手段６．手段４又は５において、前記突出部は、前記板状部材に突設された仕切板であることを特徴とする遊技機。
【００２６】
そして手段６に示すように、上述した突出部は、板状部材に突設された仕切板として構成することが考えられる。手段６によれば、突出部が仕切板によって構成されているため、流下状態変更部の構成が簡単になるという点で有利である。
【００２７】
手段７．手段２乃至６のいずれかにおいて、前記ベース枠は、遊技領域の正面側に配置される前ベース枠と、背面側に配置される後ベース枠とで構成されており、
前記流下状態変更部は、前記後ベース枠に、取り外し可能に取着されていることを特徴とする遊技機。
【００２８】
上述したベース枠は、前ベース枠と後ベース枠とで構成されることが考えられるが、前ベース枠は、遊技機の正面側に配置されるため、数多くの装飾部材などが取り付けられる可能性が高い。この点、手段７によれば、流下状態変更部が後ベース枠に取り外し可能に取着されているため、装飾部材などとは別個に取り外せる構成とすることができる。
【００２９】
特に板状部材に流下状態変更部を設ける場合、前ベース枠に取り付けられる板状部材は、凹凸を有するレンズカバーなどとして具現化されることが考えられる。つまり、板状部材自体が、一種の装飾部材となるのである。
【００３０】
これに対して、後ベース枠に取り付けられる板状部材は、上述したように、平面形状のパネルなどとして具現化されることが多い。
【００３１】
したがって、後ベース枠に取り付けられる板状部材に流下状態変更部を設けて取り外し可能にすれば、流下状態変更部の形成も比較的簡単になり、また、レンズカバーなど装飾部材としての板状部材は、流下状態変更部と共に取り替えられることがなくなるため、経済的にも有利である。
【００３２】
手段８．手段２乃至７のいすれかにおいて、前記枠体は、識別情報を変動表示可能な可変表示装置の周囲を囲むセンターフレームによって構成されていることを特徴とする遊技機。
【００３３】
手段９．手段１乃至８のいずれかにおいて、前記流下状態変更部は、前記遊技球の流下速度を抑えるものであることを特徴とする遊技機。
【００３４】
流下状態変更部が遊技球の流下状態を変更するものであることは、既に述べた。この点、手段９によれば、流下状態変更部が遊技球の流下速度を抑えるものとなっているため、遊技球流路からステージへ放出された遊技球の球勢により、遊技球がステージ部などで跳ね上がってしまうことを防止でき、所定の作動口への遊技球の入賞を期待する遊技者の興趣を損なうことを防止できる。
【００３５】
手段１０．手段１乃至９のいずれかにおいて、前記流下状態変更部は、前記遊技球の流路を変更するものであることを特徴とする遊技機。
【００３６】
手段１０によれば、流下状態変更部が遊技球の流路を変更するものとなっているため、例えば遊技球流路内部を視認できるようにすれば、遊技球の挙動によって、遊技の興趣を高めることが可能となる。
【００３７】
手段１１．手段１乃至１０のいずれかにおいて、前記流下状態変更部は、前記遊技球流路から放出された前記遊技球の転動状態を左右するものであることを特徴とする遊技機。
【００３８】
手段１１によれば、流下状態変更部が遊技球流路から放出された遊技球の転動状態を左右するものとなっているため、取り替えられる流下状態変更部によって例えばステージ部での遊技球の挙動を適宜調整したりすることができ、場合によっては、所謂遊技盤面に植設される釘の調整と同様、所定の作動口への入賞確率を調整したりすることができる。この場合、所定の流下状態変更部に取り替えたりするだけでよいため、釘調整を行う場合に比べて熟練性が要求されず、調整作業を容易に行うことができる。
【００３９】
なお、手段９乃至１１に示したように流下状態変更部が種々の機能を担うように構成することが考えられるが、特に板状部材に流下状態変更部を設けてベース枠からの取り外しを可能にする構成においては、板状部材の取り替えによって簡単に流下状態変更部を取り替えることができるため、異なる機能の流下状態変更部を、遊技機毎に配設することも可能になる。その結果、同一機種であっても、遊技球流路に配設される流下状態変更部によって、遊技球に様々な挙動を生じさせることができる。
【００４０】
手段１２．手段１乃至１１のいずれかにおいて、前記遊技機はパチンコ機であること。中でも、パチンコ機の基本構成としては、「操作ハンドルを備えておりそのハンドル操作に応じて遊技球を遊技盤面上に発射させ、遊技球が遊技盤を流下し、遊技盤に配設された特定の入球手段に入球することに基づいて、所定条件が成立した場合には特別遊技価値が付与されるもの」が挙げられる。
【００４１】
【発明の実施の形態】
以下、パチンコ遊技機（以下、単に「パチンコ機」という）の一実施の形態を、図面に基づいて詳細に説明する。
【００４２】
図１に示すように、パチンコ機１は、外枠２と、該外枠２の前部に設けられ外枠２の一側部にて開閉可能に支持された前面枠３とを備えている。
【００４３】
前面枠３の前面側にはガラス扉枠４が開閉自在に設けられている。前面枠３の後側（ガラス扉枠４の奥、外枠２の内側）には、遊技盤５が着脱可能に装着されている。
【００４４】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４５】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４６】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４７】
さて、可変表示装置１４は、液晶表示部２０と、該液晶表示部２０を囲むように設けられたセンターフレーム２１とを備えている。
【００４８】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４９】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５０】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。
【００５１】
次に、上記センターフレーム２１について図２乃至図４を参照しつつ説明する。センターフレーム２１は、中央部が前後方向に貫通した前ベース枠２２及び後ベース枠２３を備え、全体として枠体形状となっている。
【００５２】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００５３】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００５４】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００５５】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００５６】
下板部２８の下側周縁部は左右両板部２６，２７の周縁部から連なるように下に凸の略円弧形状となっている。
【００５７】
さて、右板部２６には前後方向に貫通した右開口部３０が設けられている。右開口部３０は右板部２６に対しかなりの領域を占め、その形状も右板部２６と略同一形状となっている。右開口部３０には当該右開口部３０と略相似形状の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５８】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述するＬＥＤ４３の大きさと比較してより微細なものとなっている。
【００５９】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００６０】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００６１】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００６２】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００６３】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００６４】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００６５】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００６６】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００６７】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６８】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００６９】
円弧長孔７１，７２に対応するように、左操作部６３及び右操作部６４の先端部にはそれぞれ前後方向に貫通し上下方向に長い左端長孔７３、右端長孔７４が形成されている。
【００７０】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００７１】
取付カバー７５の背面側には開口部７５ａの後方においてモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００７２】
一方、下垂部５７の前面側には複数の薄板状の装飾パネル８０が取着され、その前面側には上記左円弧長孔７１、右円弧長孔７２の位置に対応してそれぞれ、宇宙船をモチーフにした大可動部材８１、中可動部材８２が回動可能に軸支されている。なお、各装飾パネル８０には左円弧長孔７１、右円弧長孔７２に対応した図示しない孔部が形成されている。さらに、中可動部材８２の右側には、宇宙船をモチーフにした小可動部材８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００７３】
ここで大可動部材８１及び中可動部材８２に関連した構成部分について詳しく説明する。大可動部材８１及び中可動部材８２の上部にはそれぞれ前後方向に貫通した軸孔８７，８８が形成されている。軸孔８７，８８にはそれぞれ軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００７４】
大可動部材８１及び中可動部材８２の背面側には、それぞれ軸孔８７，８８の下方において、上記左円弧長孔７１、右円弧長孔７２の位置に対応するように棒状の操作子９５，９６が後方に向けて突出形成されている。操作子９５，９６はそれぞれ左円弧長孔７１、右円弧長孔７２を介して上記左端長孔７３、右端長孔７４に差し込まれている。
【００７５】
上記構成に基づき、モータ７６が回転すると、この回転動作が円盤体７７を介して駆動伝達部材６１に伝達され、駆動伝達部材６１が左右方向に往復動する。そして、駆動伝達部材６１の往復動作が操作子９５，９６を介して大可動部材８１、小可動部材８３に伝達される。大可動部材８１、小可動部材８３は軸棒８９，９０を中心に往復回動する。
【００７６】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００７７】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７８】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００７９】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００８０】
さて、前ベース枠２２の右側部には、前記右透光パネル３１及び右上透光パネル１１５の前面側を覆うように透光性を有するレンズカバー１１７が取着されている。本実施の形態では、レンズカバー１１７と、右透光パネル３１及び右上透光パネル１１５とよって囲まれた空間部分によって、上記開口部５５を通過した遊技球Ｂをセンターフレーム２１下部へと案内する遊技球流路が形成される。
【００８１】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。
【００８２】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００８３】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００８４】
左レンズ部１２０の左側部には、当該左側部から後方へ延出された左側壁部１２１が設けられている。左側壁部１２１の外面には前後方向に沿って延びた複数の直線状凸部１２２が列状に並んで形成されている。
【００８５】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００８６】
左レンズ部１２０の右側部と中レンズ部１１９の左側部との間には段差が形成されており、中レンズ部１１９がより前方に位置している。当該段差部分には中側壁部１２３が形成されている。
【００８７】
同様に、中レンズ部１１９の右側部と右レンズ部１１８の左側部には段差が形成されており、右レンズ部１１８がより前方へ位置している。当該段差部分には右側壁部１２４が形成されている。また、中右側壁部１２３，１２４の外面には、左側壁部１２１同様に、複数の直線状凸部１２２が形成されている。なお、中側壁部１２３の下端部は遊技球Ｂが通過可能なように切り欠かれている。
【００８８】
左レンズ部１２０の上端部には、上記天井部５４と役物カバー８５との前面側の隙間を覆う被覆部１２５が設けられている。
【００８９】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。
【００９０】
右リブ１２６及び左リブ１２７は、上記天板部１１０より上部分が切り欠かれ上記右上透光パネル１１５に当接し、それより下部分の一部が上記右透光パネル（保護パネル３４）に当接している。
【００９１】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００９２】
一方、保護パネル３４の前面側には、右リブ１２６及び左リブ１２７の切り欠き部分に対応して、誘導リブ１３３と規制リブ１３４とが設けられている。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００９３】
上記構成により、上記開口部５５を通過した遊技球Ｂは、上記役物カバー８５の右側壁部８６に沿って右方向へ流下し、左溝部１３０内へと導かれる。当該遊技球Ｂは左溝部１３０に沿って流下し、誘導リブ１３３及び規制リブ１３４によって中溝部１２９へと導かれる。そして、当該遊技球Ｂは右溝部１２８又は中溝部１２９に沿って流下し、上記中側壁部１２３の切り欠き部より後述するステージ部１４５へと排出される。
【００９４】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００９５】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００９６】
嵌込み部５１の下部には、凹部１４０を覆うステージ部１４５が取着されている。ステージ部１４５は、左右方向に沿って左右両端部から中央部に向かうにつれ下方へ傾斜し、さらに中央に向かうにつれ上方へ傾斜し、左右方向中央部が凸状に形成されている。当該左右方向中央部（頂上部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９７】
上記構成により、例えば上記遊技球流路より排出された遊技球Ｂはステージ部１４５上を転動する。一部の遊技球Ｂは傾斜部１４６、誘導溝１４７及び誘導路１４１を通って上記作動チャッカー１３の方へ誘導される。
【００９８】
以上、センターフレーム２１について詳述したが、本実施の形態における特徴的な構成は、右透光パネル３１を構成する保護パネル３４は、後ベース枠２２（右板部２６）の右開口部３０に、取り外し可能に取着されており、誘導リブ１３３及び規制リブ１３４が、この保護パネル３４に設けられていることにある。
【００９９】
保護パネル３４が右板部２６に取り付けられた様子を、図７に示した。本実施の形態では、レンズカバー１１７と、監視孔１１２の設けられた天板部１１０と、右透光パネル３１及び右上透光パネル１１５とによって囲まれた空間部分によって、遊技球Ｂをステージ部１４５へと案内する遊技球流路が形成される。このとき、遊技球流路の内壁の一部を形成するのが、保護パネル３４となっている。したがって、図７中の記号Ｌで示す如く流下する遊技球Ｂに対し、保護パネル３４から突出して設けられた誘導リブ１３３及び規制リブ１３４は、その流路を変更し、また、流路の変更によりその流下速度を抑えることになる。このとき、保護パネル３４が後ベース枠２３（右板部２６）に取り外し可能に取着されることによって、上記機能を備える誘導リブ１３３及び規制リブ１３４が、遊技球流路に対し着脱可能となっているのである。
【０１００】
なお、本実施の形態におけるレンズカバー１１７と、天板部１１０と、右透光パネル３１及び右上透光パネル１１５とよって形成される囲まれた空間部分によって形成される遊技球流路が、上述した手段における「遊技球流路」に相当する。また、保護パネル３４が「板状部材」に相当し、誘導リブ１３３及び規制リブ１３４が「流下状態変更部」に相当する。
【０１０１】
次に、本実施の形態におけるパチンコ機１の発揮する効果を説明する。
【０１０２】
本実施の形態では、保護パネル３４が後ベース枠２３（右板部２６）に取り外し可能に取着されることによって、誘導リブ１３３及び規制リブ１３４が、遊技球流路に対し着脱可能となっている。
【０１０３】
これによって、誘導リブ１３３及び規制リブ１３４に破損などの不具合が生じた場合であっても、保護パネル３４を取り替えることによって、簡単に、誘導リブ及び規制リブ１３４を取り替えることができる。もちろん、誘導リブ１３３及び規制リブ１３４に埃などが付着して汚れてしまった場合にも、同様の手法で取り替えることができる。その結果、誘導リブ１３３及び規制リブ１３４に遊技球がつまったりする可能性を低くすることができ、遊技の興趣を損なうことを防止できる。
【０１０４】
また、本実施の形態では、後ベース枠２３（右板部２６）に取着される保護パネル３４に、誘導リブ１３３及び規制リブ１３４を設けている。上述したように、前ベース枠２２の右側部には、右透光パネル３１及び右上透光パネル１１５の前面側を覆うように透光性を有するレンズカバー１１７が取着されている。そして、このレンズカバー１１７は、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。一方で、後ベース枠２３（右板部２６）に取着される保護パネル３４は、平面状である。
【０１０５】
したがって、保護パネル３４に、誘導リブ１３３及び規制リブ１３４を設ける構成では、誘導リブ１３３及び規制リブ１３４の形成も比較的簡単になり、また、誘導リブ１３３及び規制リブ１３４を取り替えても、レンズカバー１１７は取り替えられることがないため、経済的にも有利である。
【０１０６】
なお、本実施の形態では、誘導リブ１３３及び規制リブ１３４が、遊技球Ｂの流路を変更し、また、流路の変更によりその流下速度を抑える。これによって、遊技球流路からステージへ放出された遊技球Ｂの球勢により、遊技球Ｂがステージ部１４５などで跳ね上がってしまうことを防止でき、作動チャッカー１５への遊技球Ｂの入賞を期待する遊技者の興趣を損なうことを防止できる。また、遊技球Ｂの流路が変更されるため、例えば遊技球流路内部を視認できるようにすれば、遊技の興趣を高めることが可能となる。
【０１０７】
さらに、誘導リブ１３３及び規制リブ１３４を取り替えるに際し、取替前後の誘導リブ１３３、規制リブ１３４の形状、サイズ等が相違させることで、遊技球Ｂの流路を適宜異ならせることができ、流下態様にバリエーションを付与することもできる。この場合、流下態様を外部から視認可能な構成とすることで、一層の興趣の向上を図ることもできる。併せて、取替前後で、球勢を異ならせるよう構成することで、ステージ部１４５への案内のされ方も相違することとなり、結果として、さらに下方に設けられた作動チャッカー１５等への入賞率をも異ならせることもできる。
【０１０８】
なお、上述した実施の形態の記載内容に限定されず、例えば次のように実施してもよい。
【０１０９】
（ａ）上記実施の形態では、保護パネル３４に誘導リブ１３３及び規制リブ１３４を設けていたが、遊技球流路に対し、誘導リブ１３３及び規制リブ１３４を着脱可能に設けることができればよく、保護パネル３４に設けることには限定されない。
【０１１０】
（ｂ）誘導リブ１３３は、段階的にその傾斜角度を変化させつつ右下がりに形成されており、規制リブ１３４は、誘導リブ１３３によって誘導される遊技球Ｂの右方向へ動きを規制するように上下方向に沿って形成されていた（図７参照）。そして、これら誘導リブ１３３及び規制リブ１３４は、遊技球Ｂの流下速度及び流路の変更を担うものであったが、このような形状の誘導リブ１３３や規制リブ１３４に限定されるものではない。つまり、「流下状態変更部」は、遊技球Ｂに変化を与えるべく流下状態を変更する機能を有するものであればよい。
【０１１１】
（ｃ）例えば、流下状態の変更により、遊技球流路から放出された遊技球Ｂのステージ部１４５での転動状態を操作するものとすることも考えられる。例えばステージ部１４５での遊技球の挙動を操作するようにすれば、作動チャッカー１３への入賞確率を調整することができる。
【０１１２】
（ｄ）上記実施の形態では流下状態変更部が着脱可能となるのであるから、異なる機能の流下状態変更部を、遊技機毎に配設することも可能になる。その結果、同一機種であっても、遊技球流路に配設される流下状態変更部によって遊技球Ｂに様々な挙動を生じさせることができる。
【０１１３】
（ｅ）上記実施の形態では、液晶表示部２０の周囲を囲むセンターフレーム２１を枠体として採用したが、他の役物を囲むものを枠体として採用することもできる。
【０１１４】
（ｆ）上記実施の形態では、可変表示装置１４の表示部として液晶表示部２０を採用している。しかし、これに限らず、他にも、ＣＲＴ、ドットマトリックス、ＬＥＤ（エレクトロルミネッセンス）、蛍光表示管等を可変表示装置１４の表示部として用いてもよい。
【０１１５】
（ｇ）上記実施の形態とは異なるタイプのパチンコ機にも適用してもよい。従って、可変表示装置１４のないパチンコ機にも応用できる。また、本発明は、パチンコ機以外にも雀球、アレンジボール等の遊技機にも応用可能である。
【図面の簡単な説明】
【図１】一実施の形態におけるパチンコ機を示す正面図である。
【図２】センターフレームを示す斜視図である。
【図３】センターフレームを示す正面分解斜視図である。
【図４】センターフレームを示す背面分解斜視図である。
【図５】直線状凸部を示す図である。
【図６】駆動伝達部材等を示す図である。
【図７】後ベース枠（右板部）に取り外し可能に取着される保護パネルに、誘導リブ及び規制リブが設けられた様子を示す模式図である。
【符号の説明】
１…遊技機としてのパチンコ機、５…遊技盤、１３…作動チャッカー、１４…可変表示装置、２０…液晶表示部、２１…枠体としてのセンターフレーム、２２…前ベース枠、２３…後ベース枠、２６…右板部、３０…右開口部、３１…右透光パネル、３４…板状部材としての保護パネル、１１５…右上透光パネル、１１７…レンズカバー、１３３…流下状態変更部としての誘導リブ、１３４…流下状態変更部としての規制リブ。
【図１】
2004065279.tif 000003
【図２】
2004065279.tif 000004
【図３】
2004065279.tif 000005
【図４】
2004065279.tif 000006
【図５】
2004065279.tif 000007
【図６】
2004065279.tif 000008
【図７】
2004065279.tif 000009